(57)【特許請求の範囲】
【請求項１】
使用者が歩行に際し接地する靴底面を有するソール部、および前記ソール部の上部に位置して前記使用者の足を包むように形成されるアッパー部からなる靴と、
前記靴の後方下部に垂直方向に配設された吊り具と、
を備え、
前記吊り具の一部または全部が前記ソール部に収納されるように、回転可能に取り付けられていることを特徴とする吊り具付き靴。
【請求項２】
前記ソール部が、当該ソール部の幅方向中央部に、前記靴底面から切り欠き状に形成された前記吊り具を収納するための収納凹部を有し、
前記吊り具が、前記収納凹部に回転軸で取り付けられていることを特徴とする請求項１に記載の吊り具付き靴。
【請求項３】
前記吊り具が、フック部と当該フック部を支持する支持部とから構成され、
前記吊り具の支持部における前記フック部の逆端が、前記アッパー部の足首後方部分を支持するアッパー後方部に回転軸で取り付けられ、
前記ソール部が、当該ソール部の幅方向中央部に、前記靴底面から切り欠き状に形成された前記吊り具のフック部を収納するための収納凹部を有することを特徴とする請求項１に記載の吊り具付き靴。
【請求項４】
使用者が歩行に際し接地する靴底面を有するソール部、および前記ソール部の上部に位置して前記使用者の足を包むように形成されるアッパー部からなる靴と、
前記ソール部に垂直方向に配設された吊り具と、
を備え、
前記ソール部が、当該ソール部の後方側面の中央部に、切り欠き状に形成された前記吊り具を収納するための収納凹部を有し、
前記吊り具が、前記収納凹部の奥側に押し込んで収納されるように、前記収納凹部の内部に接着された取付基部を有する可撓性部材に取り付けられていることを特徴とする吊り具付き靴。
【請求項５】
使用者が歩行に際し接地する靴底面を有するソール部、および前記ソール部の上部に位置して前記使用者の足を包むように形成されるアッパー部からなる靴と、
前記靴の後方下部において所定の間隔で接着された一対の帯状部材と、
を備え、
前記一対の帯状部材が、長手方向適当間隔おきに、２以上の係合部または２以上の被係合部のいずれか一方をそれぞれ有し、前記係合部と前記被係合部とで係合された前記一対の帯状部材が、前記靴の後方側面との間にループ状の輪を形成することを特徴とする吊り具付き靴。
【請求項６】
前記係合部と前記被係合部とで係合された前記一対の帯状部材が、前記アッパー部の後方側面に沿うことを特徴とする請求項５に記載の吊り具付き靴。
【発明の詳細な説明】
【技術分野】
【０００１】
本発明は、効率的に吊るして乾かすことができる吊り具付き靴に関する。
【背景技術】
【０００２】
従来から、靴、特に長靴において、洗濯した後や雨天の使用等によって、靴の内部に溜まってしまった水滴を効率的に乾かすためのハンガーが提案されてきている。例えば、靴やブーツ等をその外側から挟着保持する靴用ハンガー、具体的には、底面を上側にした靴の靴底と側革との境界付近を踵部側から靴の先端方向に向かって挟着保持すると共に、靴底を挟着抱持するようにした靴用ハンガーが提案されている（例えば、特許文献１参照）。また、逆さ向きにした靴外側の甲部と踵部の二箇所を段違い平行棒の形態で支持することによりズック、スニーカー、長靴等、形状の異なる様々な靴類を干すことができる靴干しハンガーが提案されている（例えば、特許文献２参照）。
【先行技術文献】
【特許文献】
【０００３】
【特許文献１】特開２００４−２０２０７６号公報
【特許文献２】特開２０１２−１３９４４３号公報
【発明の概要】
【発明が解決しようとする課題】
【０００４】
しかしながら、靴を逆さ向きに吊るためには、特許文献１および２で提案されているハンガーを靴とは別に用意しなければ、靴を逆さ向きにして干したい場合であっても干すことができないことがあるという問題点があった。
【０００５】
そこで、上記課題に鑑みて、本発明では、ハンガーを用意しなくても、靴を逆さ向きに吊るし、効率的に靴を乾かすことができる吊り具付き靴を提供することを目的とする。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）  本発明は、使用者が歩行に際し接地する靴底面を有するソール部、および前記ソール部の上部に位置して前記使用者の足を包むように形成されるアッパー部からなる靴と、前記靴の後方下部に垂直方向に配設された吊り具と、を備え、前記吊り具の一部または全部が前記ソール部に収納されるように、回転可能に取り付けられていることを特徴とする吊り具付き靴を提案している。
【０００８】
（２）  本発明は、（１）の吊り具付き靴について、前記ソール部が、当該ソール部の幅方向中央部に、前記靴底面から切り欠き状に形成された前記吊り具を収納するための収納凹部を有し、前記吊り具が、前記収納凹部に回転軸で取り付けられていることを特徴とする吊り具付き靴を提案している。
【０００９】
（３）  本発明は、（１）の吊り具付き靴について、前記吊り具が、フック部と当該フック部を支持する支持部とから構成され、前記吊り具の支持部における前記フック部の逆端が、前記アッパー部の足首後方部分を支持するアッパー後方部に回転軸で取り付けられ、前記ソール部が、当該ソール部の幅方向中央部に、前記靴底面から切り欠き状に形成された前記吊り具のフック部を収納するための収納凹部を有することを特徴とする吊り具付き靴を提案している。
【００１０】
（４）  本発明は、使用者が歩行に際し接地する靴底面を有するソール部、および前記ソール部の上部に位置して前記使用者の足を包むように形成されるアッパー部からなる靴と、前記ソール部に垂直方向に配設された吊り具と、を備え、前記ソール部が、当該ソール部の後方側面の中央部に、切り欠き状に形成された前記吊り具を収納するための収納凹部を有し、前記吊り具が、前記収納凹部の奥側に押し込んで収納されるように、前記収納凹部の内部に接着された取付基部を有する可撓性部材に取り付けられていることを特徴とする吊り具付き靴を提案している。
【００１１】
（５）  本発明は、前記使用者が歩行に際し接地する靴底面を有するソール部、および前記ソール部の上部に位置して前記使用者の足を包むように形成されるアッパー部からなる靴と、前記靴の後方下部において所定の間隔で接着された一対の帯状部材と、を備え、前記一対の帯状部材が、長手方向適当間隔おきに、２以上の係合部または２以上の被係合部のいずれか一方をそれぞれ有し、前記係合部と前記被係合部とで係合された前記一対の帯状部材が、前記靴の後方側面との間にループ状の輪を形成することを特徴とする吊り具付き靴を提案している。
【００１２】
（６）  本発明は、（５）の吊り具付き靴について、前記係合部と前記被係合部とで係合された前記一対の帯状部材が、前記アッパー部の後方側面に沿うことを特徴とする吊り具付き靴を提案している。
【発明の効果】
【００１３】
本発明によれば、靴を逆さ向きに吊るし、効率的に靴を乾かすことができる。
【図面の簡単な説明】
【００１４】
【図１】本発明の実施例１に係る吊り具付き靴の吊り具の使用状態を示す斜視図である。
【図２】本発明の実施例１に係る吊り具付き靴の吊り具を収納した状態を示す斜視図を示す。
【図３】本発明の実施例２に係る吊り具付き靴の吊り具を収納した状態における、吊り具付き靴の縦断面図である。
【図４】本発明の実施例２に係る吊り具付き靴の吊り具の使用状態時における、吊り具付き靴の縦断面図である。
【図５】本発明の実施例２に係る吊り具付き靴の吊り具の使用状態時を示す斜視図である。
【図６】本発明の実施例３に係る吊り具付き靴の吊り具の使用状態時における斜視図である。
【図７】本発明の実施例３に係る吊り具付き靴の吊り具の使用状態時における、吊り具付き靴のヒール部の横断面図である。
【図８】本発明の実施例３に係る吊り具付き靴の吊り具を収納した状態における、吊り具付き靴のヒール部の横断面図である。
【図９】本発明の実施例４に係る吊り具付き靴の吊り具の使用状態を示す斜視図である。
【図１０】本発明の実施例４に係る吊り具付き靴の吊り具を畳んだ状態を示す斜視図である。
【発明を実施するための形態】
【００１５】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００１６】
＜実施例１＞
実施例１に係る吊り具付き靴について、図１および図２を用いて説明する。
【００１７】
図１は、本発明の実施例１に係る吊り具付き靴１の吊り具１００の使用状態を示す斜視図である。図１に示すように、本実施例に係る吊り具付き靴１は、アッパー部１０、ソール部２０、および吊り具１００を備える。本実施例において、吊り具付き靴１を長靴とするが、ソール部２０の全体または後方部がある程度の厚みを有する、すなわち、ソール部２０の全体または後方部が吊り具１００を収納できるように吊り具１００の厚み以上の厚みを有すれば、長靴でなくてもよく、スニーカーやサンダルであってもよい。
【００１８】
アッパー部１０は、ソール部２０の上部に位置して使用者の足を包むように形成されている。ソール部２０は、使用者が歩行に際し接地する靴底面を有する。なお、ヒール部３０は、所定の高さを有さず、ソール部２０と面一に一体となっていてもよい。ヒール部３０は、幅方向中央部に収納凹部３００が形成されている。ソール部２０がヒール部３０を備えていない場合には、ソール部２０の後方部において、幅方向中央部に収納凹部３００が形成される。収納凹部３００は、靴底面から履き口に向けて所定の深さで、ヒール部３０後方端部から前方部にかけて切り欠け状に形成され、吊り具１００が収納できるようになっている。
【００１９】
吊り具１００は、使用状態において、ヒール部３０の後方側面下端で、ヒール部３０後方側面、すなわち吊り具付き靴１の後方側面に対して垂直方向に保持されている。それにより、吊り具１００を棒や突起に引っ掛けると、履き口を下方に向けて吊り具付き靴１を吊るすことができる。その結果、吊り具付き靴１の内部に溜まってしまった水滴を効率的に乾かすことができる。また、履き口を下方に向けていることにより、長時間吊り具付き靴１を使用しない場合に靴内にごみ等が入り込むことを防ぐこともできる。
【００２０】
吊り具１００は、棒や突起物等にひっかけるフック部１００ａとフック部１００ａを支持する支持部１００ｂとから構成される。図１において、フック部１００ａは支持部１００ｂと一体となっているが、支持部１００ｂを軸に回転可能に、連結部材で支持部１００ｂに連結されていてもよい。また、吊り具１００のフック部１００ａは、図１に示すようにカギ型であるが、棒や突起物に吊り下げることが可能であればカギ型に限らず、例えば、ループ型やＬ字型等であってもよい。
【００２１】
吊り具１００は、ヒール部３０に回転軸２００で取り付けられており、ヒール部３０の後方側面下端で吊り具付き靴１の後方側面と垂直方向に保持されている使用状態から回転して収納凹部３００に収納される。図２に、吊り具１００を収納凹部３００に収納した状態の斜視図を示す。このとき、図に示すように、吊り具１００は、収納凹部３００に入り込んで保持されて、ヒール部３０の靴底面とほぼ面一となっている。吊り具１００は、回転軸２００がヒール部３０に支持されることにより回転可能になっている。吊り具１００を収納凹部３００に収納できることにより、吊り具１００を使用しない際、特に歩行時に、吊り具が邪魔にならず、通常の靴と同様に使用することができる。
【００２２】
＜実施例２＞
実施例２に係る吊り具付き靴２について、図３〜図５を用いて説明する。なお、実施例１と同一の符号を付す構成要素については、同一の機能を有することから、その詳細な説明は省略する。
【００２３】
図３は、本発明の実施例２に係る吊り具付き靴２の吊り具１１０を収納した状態における、吊り具付き靴２の縦断面図である。図３（ａ）は上部から吊り具付き靴２を見た平面図であって、図３（ｂ）の断面図の切断面を示す。図３（ｂ）は、吊り具付き靴２の吊り具１１０を収納した状態における、吊り具付き靴２のＡ−Ａ´線断面図を示す。
【００２４】
図３（ｂ）に示すように、本実施例に係る吊り具付き靴２は、アッパー部１０、ソール部２０、および吊り具１１０を備える。本実施例においても、吊り具付き靴２を長靴とするが、ソール部２０の全体または後方部がある程度の厚みを有する、すなわち、ソール部２０の全体または後方部が吊り具１１０のフック部の高さ以上の厚みを有すれば、長靴でなくてもよく、スニーカーやサンダルであってもよい。
【００２５】
ソール部２０は、使用者が歩行に際し接地する靴底面を有する。また、ソール部２０は、ソール部２０の後方部に所定の高さを有するヒール部３１を備える。なお、ヒール部３０は、所定の高さを有さず、ソール部２０と面一に一体となっていてもよい。
【００２６】
吊り具１１０は、棒や突起物等にひっかけるフック部１１０ａとフック部１１０ａを支持する支持部１１０ｂとから構成される。吊り具１１０は、アッパー部１０の足首後方部分を支持するアッパー後方部１０ａに、回転軸２１０で取り付けられている。吊り具１１０は、回転軸２１０により回転可能になっている。なお、吊り具１１０が取り付けられているアッパー後方部１０ａは、アッパー部１０の足首後方部分において、アッパー部１０の高さの中間より下部であるのが望ましい。
【００２７】
吊り具１１０の支持部１１０ｂは、吊り具付き靴２の後方側面に対して平行方向に沿って固定され、吊り具１１０のフック部１１０ａは、ヒール部３１の収納凹部３１０に収納されて、すなわち、収納凹部３１０に入り込んで保持されて、ヒール部３１の靴底面とほぼ面一となっている。このとき、吊り具１１０は、ヒール部３１の一部として機能する。
【００２８】
吊り具１１０は、図３に示すようにＬ字型であるが、棒や突起物に吊り下げることが可能であって、ヒール部３１に収納可能な形であれば、例えば、Ｊ型等であってもよい。なお、実施例２においても実施例１と同様に、フック１１０ａは支持部１１０ｂと一体となっているが、支持部１１０ｂを軸に回転可能に、連結部材で支持部１１０ｂに連結されていてもよい。
【００２９】
図３に示すように吊り具付き靴２の吊り具１１０がヒール部３１に収納されることより、吊り具１１０を使用しない際、特に歩行時に、吊り具が邪魔にならず、通常の靴と同様に使用することができる。
【００３０】
吊り具１１０は、ヒール部３１の収納凹部３１０に収納されている状態から回転軸２１０を軸に回転して、アッパー部１０の後方側面に対して垂直方向に保持される使用状態となる。図４に、吊り具１１０の使用状態時における、吊り具付き靴２の縦断面図を示す。図５に吊り具１１０の使用状態時における吊り具付き靴２の斜視図を示す。
【００３１】
図４、５に示すように、使用状態時において、吊り具１１０は、アッパー後方部１０ａで、吊り具付き靴２の後方側面に対して垂直方向に保持される。それにより、吊り具１１０を棒や突起に引っ掛けると、履き口を下方に向けて靴を吊るすことができる。その結果、靴の内部に溜まってしまった水滴を効率的に乾かすことができる。また、履き口を下方に向けていることにより、長時間靴を使用しない場合に靴内にごみ等が入り込むことを防ぐこともできる。
【００３２】
ヒール部３２は、図４、５に示すように、幅方向中央部に収納凹部３１０が形成されている。収納凹部３１０は、吊り具１１０のフック部１１０ａとかみ合う形状であって、ヒール部３１後方端部から前方部にかけて形成され、吊り具１１０のフック部１１０ａが収納できるようになっている。
【００３３】
＜実施例３＞
実施例３に係る吊り具付き靴３について、図６〜図８を用いて説明する。なお、実施例１と同一の符号を付す構成要素については、同一の機能を有することから、その詳細な説明は省略する。
【００３４】
図６は、本発明の実施例３に係る吊り具付き靴３の吊り具１００の使用状態時における、靴底面を上部にした斜視図である。図６に示すように、本実施例に係る吊り具付き靴３は、アッパー部１０、ソール部２０、および吊り具１００を備える。本実施例においても、吊り具付き靴３を長靴とするが、ソール部２０の全体または後方部がある程度の厚みを有する、すなわち、ソール部２０の全体または後方部が吊り具１００を収納できるように吊り具１００の厚み以上の厚みを有すれば、長靴でなくてもよく、スニーカーやサンダルであってもよい。
【００３５】
ソール部２０は、使用者が歩行に際し接地する靴底面を有する。また、ソール部２０は、ソール部２０の後方部に所定の高さを有するヒール部３２を備える。なお、ヒール部３２は、所定の高さを有さず、ソール部２０と面一に一体となっていてもよい。
【００３６】
吊り具１００は、使用状態において、ヒール部３２の後方側面中央で、ヒール部３２後方側面、すなわち吊り具付き靴３の後方側面に対して垂直方向に保持されている。吊り具１００をヒール部３２の後方側面に設けることで、吊り具１００を棒や突起に引っ掛けると、履き口を下方に向けて吊り具付き靴３を吊るすことができる。その結果、吊り具付き靴３の内部に溜まってしまった水滴を効率的に乾かすことができる。また、履き口を下方に向けていることにより、長時間靴を使用しない場合に靴内にごみ等が入り込むことを防ぐこともできる。
【００３７】
使用状態における、吊り具付き靴３のヒール部３２のＡＡ´線断面図を、図７に示す。ヒール部３２は、ヒール部３２の後方側面の中央部に収納凹部３２０が切り欠き状に形成されている。収納凹部３２０は、直方体、多角柱体、円柱等の任意の立体形状であって、ヒール部３２の後方側面から前方に向けて所定の深さに形成され、吊り具１００が収納できるようになっている。
【００３８】
吊り具１００は、可撓性支持部４００の中央部４００ａに接着されている。具体的には、吊り具１００は、棒や突起物等にひっかけるフック部１００ａとフック部１００ａを支持する支持部１００ｂとから構成され、支持部１００ｂにおけるフック部１００ａとの逆端が可撓性支持部４００の中央部４００ａに接着されている。
【００３９】
可撓性支持部４００は、その取付基部４００ｂによって収納凹部３２０の内部に接着されている。吊り具１００は、収納凹部３２０内に押し込まれ、ヒール部３２の後方側面から突出しないように収納凹部３２０内に収納される。
【００４０】
吊り具付き靴３の吊り具１００を収納した状態における、吊り具付き靴３のヒール部３２のＡＡ´線断面図を、図８に示す。図に示すように、吊り具１００を収納凹部３２０内に収納した時には、可撓性支持部４００の中央部４００ａは、収納凹部３２０の奥部に押し込まれる。このように、吊り具１００をヒール部３２内部に収納できることにより、吊り具１００を使用しない際、特に歩行時に吊り具が邪魔にならず、通常の靴と同様に使用することができる。
【００４１】
＜実施例４＞
実施例４に係る吊り具付き靴４について、図９〜図１０を用いて説明する。なお、実施例１と同一の符号を付す構成要素については、同一の機能を有することから、その詳細な説明は省略する。
【００４２】
図９は、本発明の実施例４に係る吊り具付き靴４の吊り具１４０の使用状態を示す斜視図である。図９に示すように、本実施例に係る吊り具付き靴４は、アッパー部１０、ソール部２０、および吊り具１４０を備える。本実施例において、吊り具付き靴４を長靴とするが、アッパー部１０の足首を被う後方部分にある程度の高さがあればよく、長靴でなくてもよく、スニーカーやパンプス等であってもよい。
【００４３】
吊り具１４０は、アッパー部１０の足首後方部分を支持するアッパー後方部に所定の間隔で接着された帯状部材１２０、１３０から構成される。なお、吊り具１４０は、アッパー部１０の足首後方部分において、アッパー部１０の高さの中間より下部に位置するのが望ましい。帯状部材１２０は、アッパー部１０の後方部１０ａで下方に接着された接着部１２１、および長手方向適当間隔おきに２つの係合具１２２ａ、１２２ｂを備える。帯状部材１３０は、アッパー部１０の後方部１０ａで上方に接着された接着部１３１、および長手方向適当間隔おきに２つの被係合具１３２ａ、１３２ｂを備える。なお、帯状部材１２０が被係合具を備えて、帯状部材１３０が係合具を備えてもよく、また、帯状部材１２０、１３０が、２以上の係合具および被係合具を備えてもよい。
【００４４】
吊り具１４０の使用状態においては、帯状部材１２０、１３０がアッパー部１０の後方部１０ａの側面との間にループ状の輪を形成するように、帯状部材１２０の係合具と帯状部材１３０の被係合具とを係合する。図においては、帯状部材１２０の係合具１２２ｂと、帯状部材１３０の被係合具１３２ｂとを係合することによって、帯状部材１２０、１３０とアッパー部１０の後方部１０ａ側面との間にループ状の輪を形成している。
【００４５】
アッパー部１０の後方部１０ａに形成されたループ状の輪が吊り具１４０であって、輪の部分に棒を通したり、輪の部分を突起に引っ掛けたりすることで、履き口を下方に向けて吊り具付き靴４を吊るすことができる。その結果、吊り具付き靴４の内部に溜まってしまった水滴を効率的に乾かすことができる。また、履き口を下方に向けていることにより、長時間靴を使用しない場合に靴内にごみ等が入り込むことを防ぐこともできる。
【００４６】
帯状部材１２０、１３０が、２以上の係合具および被係合具を備えている場合には、係合する係合具と被係合具との組み合わせを変えることにより、帯状部材１２０、１３０とアッパー部１０の後方部１０ａ側面との間に形成されるループ状の輪の大きさを変えることができる。
【００４７】
図９において、帯状部材１２０の係合具１２２ａと、帯状部材１３０の被係合具１３２ａとを係合することによって、吊り具１４０、すなわち連結された帯状部材１２０、１３０とがアッパー部１０の後方部１０ａ側面に沿うようにして、吊り具１４０を畳むことができる。
【００４８】
図１０に、吊り具１４０を畳んだ状態の斜視図を示す。図に示すように、吊り具１４０は、アッパー部１０の後方部１０ａ側面に沿うようにして畳まれる。このように、吊り具１４０をアッパー部１０の後方部１０ａ側面に沿うようにして畳むことができることにより、吊り具１４０を使用しない際、特に歩行時に、吊り具１４０が邪魔にならず、通常の靴と同様に使用することができる。
【００４９】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００５０】
１０；アッパー部
２０；ソール部
３０，３１，３２；ヒール部
１００，１１０，１４０；吊り具
１２０，１３０；帯状部材
１２１，１３１；接着部
１２２ａ，１２２ｂ；係合部
１３２ａ，１３２ｂ；被係合部
２００，２１０；回転軸
３００，３１０，３２０；収納凹部
４００；可撓性支持部
【要約】
【課題】ハンガーを用意しなくても、靴を逆さ向きに吊るし、効率的に靴を乾かすことができる吊り具付き靴を提供する。
【解決手段】吊り具付き靴１は、使用者が歩行に際し接地する靴底面を有するソール部２０、およびソール部２０の上部に位置して使用者の足を包むように形成されるアッパー部３０からなる靴と、靴の後方下部に垂直方向に配設された吊り具１００と、を備えられている。吊り具付き靴１の吊り具１００の一部または全部は、ソール部２０に収納されるように、回転可能に取り付けられている
【選択図】図１【図１】
0005509386.tif 000002
【図２】
0005509386.tif 000003
【図３】
0005509386.tif 000004
【図４】
0005509386.tif 000005
【図５】
0005509386.tif 000006
【図６】
0005509386.tif 000007
【図７】
0005509386.tif 000008
【図８】
0005509386.tif 000009
【図９】
0005509386.tif 000010
【図１０】
0005509386.tif 000011